(57)【要約】【課題】施工が簡単で、複数種類の入口枠に対して統一的に使用でき、しかも施工後において見栄えの良い扉の軸受部材およびこれを用いた扉の軸受構造を提供する。【解決手段】軸受部材２０は、入口枠１４の縦桟１４ａに固定される取付部２４と、一端が取付部２４に取り付けられ、扉１６の下側回動軸１８を受ける扉支持部２６とを有する。扉支持部２６は、その幅方向一方端部が取付部２４の幅方向一方端部端縁よりも突出しており、該突出部分２６ａに扉１６の下側回動軸１８を受ける回動軸受３０が形成されている。【選択図】図３
2008002103.tif 000002
【特許請求の範囲】
【請求項１】
収納空間の入口枠に蝶着自在に取り付けられた扉の下側回動軸を受ける扉の軸受部材であって、
前記入口枠の縦桟の下端に固定される取付部と、一端が前記取付部に取り付けられ、前記扉の下側回動軸を受ける扉支持部とを有し、
前記扉支持部は、その幅方向一方端部が前記取付部の幅方向一方端部端縁よりも突出しており、該突出部分に前記扉の下側回動軸を受ける回動軸受が形成されていることを特徴とする軸受部材。
【請求項２】
前記扉支持部は、その一端が前記取付部に取り付けられた固定側扉支持部と、前記固定側扉支持部に位置調整可能に取り付けられた可動側扉支持部とで構成されており、
前記固定側扉支持部は、その幅方向一方端部が前記取付部の幅方向一方端部端縁よりも突出しており、該突出部分に前記扉の下側回動軸を受ける回動軸受が形成されていることを特徴とする請求項１に記載の軸受部材。
【請求項３】
収納空間の入口枠に蝶着自在に取り付けられた扉の下側回動軸を受ける扉の軸受構造であって、
請求項１または２に記載の軸受部材を、前記扉支持部の突出部分が前記取付部に対して扉側となるよう前記入口枠の縦桟に取り付けたことを特徴とする扉の軸受構造。
【発明の詳細な説明】
【技術分野】
【０００１】
本発明は、クローゼット等の収納空間の入口枠に蝶着自在に取り付けられた扉の下側回動軸を受ける扉の軸受部材およびこれを用いた扉の軸受構造に関する。
【背景技術】
【０００２】
この種の軸受部材の一例が、特開２００１−３２３７１６号公報（特許文献１）に開示されている。この従来の軸受部材（下部固定用軸受け金具）は、収納空間の入口枠に蝶着自在に取り付けられた扉の下側回動軸（ピボット）を受ける細長の板状部材であり、その上面には、前記下側回動軸を受けるピボット嵌合孔が形成されている。
【０００３】
この従来の軸受部材を取り付ける際には、軸受部材を床面に配置し、ビスなどを用いて床面に直接固定していた（例えば、特許文献１参照。）。
【特許文献１】特開２００１−３２３７１６号公報
【発明の開示】
【発明が解決しようとする課題】
【０００４】
従来の軸受部材を床面に取り付ける際、床面の材質がタイルや絨毯の場合には、その施工時に不都合が生じるという問題もあった。すなわち、床面の材質が硬いタイルの場合には、ビスを直接打ち付けることができないため、タイルにビス取付用の穴を正確且つ綺麗に穿設する必要があった。一方、床面の材質が柔らかい絨毯の場合には、タイルの場合のような穴あけ作業は不要であるが、絨毯に打ち付けたビスは施工後に抜けやすいため、抜け止め対策を講じる必要があった。
【０００５】
また、扉の取り付け対象である入口枠には、上述した三方枠タイプの他に、四方枠と呼ばれる下桟を設けたタイプのものも存在するが、四方枠用の軸受部材は下桟に取り付けて使用されることから、その外形は下桟の形状に合わせて形成されている（つまり、複数種類の四方枠に対しては、各下桟の形状に合った軸受部材が必要となる）。
【０００６】
したがって、三方枠用の軸受部材を四方枠用の軸受部材として使用することは勿論、複数種類の四方枠に対して１種類の軸受部材を統一的に使用することができず、在庫管理が煩雑であるという問題もあった。
【０００７】
また、従来の軸受部材を床面に取り付ける際には、軸受部材の取付位置が示された型紙を床面に敷き、これを軸受部材の取付位置の基準とすることが一般に行なわれていたが、このように型紙を用いて位置決め作業を行うのは煩わしいという問題があった。
【０００８】
さらに、従来の軸受部材は、その長手方向が閉じた状態の扉に沿うようにして床に固定されるため、表から見たときにはこの長い軸受部材が目立ってしまい、外観上見苦しいという問題もある。
【０００９】
本願発明は、かかる従来の問題点に鑑みてなされたものであり、その主たる課題は、施工が簡単で、床面の材質や入口枠の種類にかかわらず統一的に使用でき、しかも施工後において見栄えの良い扉の軸受部材およびこれを用いた扉の軸受構造を提供することである。
【課題を解決するための手段】
【００１０】
請求項１に記載した発明は、「収納空間１２の入口枠１４に蝶着自在に取り付けられた扉１６の下側回動軸１８を受ける扉の軸受部材２０であって、入口枠１４の縦桟１４ａに固定される取付部２４（または４２）と、一端が取付部２４（または４２）に取り付けられ、扉１６の下側回動軸１８を受ける扉支持部２６（または４４）とを有し、扉支持部２６（または４４）は、その幅方向一方端部が取付部２４（または４２）の幅方向一方端部端縁よりも外方に突出しており、該突出部分２６ａ（または４４ａ）に扉１６の下側回動軸１８を受ける回動軸受３０が形成されている」ことを特徴とする軸受部材２０である。
【００１１】
本願発明にかかる軸受部材２０は、取付部２４（または４２）を入口枠１４の縦桟１４ａに取り付けて使用するものであるが、その取付対象である縦桟１４ａは通常木製であるから、軸受部材２０の取り付けに際し従来のような面倒な作業、すなわち、タイルに対する穴あけ作業や絨毯に対する抜け止め対策は一切不要である。
【００１２】
また、軸受部材２０の取り付け対象は、床面ではなく入口枠１４の縦桟１４ａであることから、入口枠１４の種類によって軸受部材２０の形状を変更する必要もない。つまり、１種類の軸受部材２０を入口枠の種類等に関係なく統一的に使用することが可能となる。
【００１３】
請求項２に記載の発明は、扉支持部２６の構造を限定したもので、「扉支持部４４は、その一端が取付部４２に取り付けられた固定側扉支持部４６と、固定側扉支持部４６に位置調整可能に取り付けられた可動側扉支持部４８とで構成されており、固定側扉支持部４６は、その幅方向一方端部が取付部４２の幅方向一方端部端縁よりも外方に突出されており、該突出部分４４ａに扉１６の下側回動軸１８を受ける回動軸受３０が形成されている」ことを特徴とするものである。
【００１４】
この発明によれば、可動側扉支持部４８が固定側扉支持部４６に対して位置調整可能に取り付けられているので、軸受部材２０を入口枠１４に取り付けた後に回動軸受３０の位置調整が可能となる。したがって、軸受部材２０の位置決めに際し、従来のような位置決め用の型紙を必要とはしない。
【００１５】
請求項３に記載の発明は、「収納空間１２の入口枠１４に蝶着自在に取り付けられた扉１６の下側回動軸１８を受ける扉の軸受構造１０であって、請求項１または２に記載の軸受部材２０を、扉支持部２６（または４４）の突出部分２６ａ（または４４ａ）が取付部２４（または４２）に対して扉１６側となるよう入口枠１４の縦桟１４ａに取り付けた」ことを特徴とする軸受構造１０である。
【００１６】
この発明では、軸受部材２０のうち、扉１６の下側回動軸１８を受ける扉支持部２６（または４４）の突出部分だけが扉１６の下方に現れることになるので、その全体が扉の下方に現れる従来技術に比べて見栄えの良い軸受構造１０を提供できる。
【発明の効果】
【００１７】
請求項１〜３に記載の発明によれば、施工が簡単で、床の材質や入口枠の種類に関係なく統一的に使用でき、しかも施工後において見栄えの良い扉の軸受部材およびこれを用いた扉の軸受構造を提供することができる。
【発明を実施するための最良の形態】
【００１８】
以下、本願発明を図面に従って説明する。本願発明に係る扉の軸受構造（以下、単に「軸受構造」という。）１０は、図１に示すように、収納空間１２の入口枠１４と、入口枠１４に取り付けられた扉１６と、扉１６の下側回動軸１８を受ける軸受部材２０Ａ（２０）とで大略構成されている。
【００１９】
入口枠１４は、左右一対の縦桟１４ａと、前記縦桟１４ａの上端に掛け渡された上桟１４ｂとで大略構成されている。なお、本実施例では、入口枠１４として三方枠を代表例に挙げて以下に説明するが、本願発明は下桟を有する四方枠に対しても適用が可能なものである。
【００２０】
縦桟１４ａの前面には、入口枠１４の開口部側に突出する鍔２２がその長手方向全長に亘って一体的に形成されており（図３および図５参照）、上桟１４ｂの下面には、図示しないレールを介して扉１６が吊持状態で取り付けられている。なお、鍔２２は、後述する軸受部材２０の取付部２４や、閉じた状態の扉１６の縦側小口面と縦桟１４ａとの間の隙間を覆う『目隠し』として機能するものであり、その突出幅は、少なくとも「取付部２４の厚み」或いは「扉１６の縦側小口面と縦桟１４ａとの間の隙間」のうち何れか大きい方よりも大きく設定されている。
【００２１】
扉１６は、その水平方向真ん中部分にて折り曲げ可能に構成された所謂折戸と呼ばれるものである。扉１６の吊元部分の上面には、上側回動軸（図示省略）が設けられており、この上側回動軸が上桟１４ｂの下面に設けられた軸受に回動可能に嵌り込んでいる。一方、扉１６の吊元部分の下面側には、下側回動軸１８が設けられており、この下側回動軸１８を後述する軸受部材２０が受けることになる。
【００２２】
軸受部材２０Ａ（２０）は、扉１６の吊元部分の下面側の設けられた下側回動軸１８を受ける部材であり、図２に示すように、取付部２４と扉支持部２６とで大略構成されている。
【００２３】
取付部２４は、軸受部材２０を入口枠１４（より詳しくは、縦桟１４ａ）に取り付ける部分であり、鉄，ステンレス或いはアルミ等のような金属または合成樹脂を材料とする略矩形状の厚肉板材により構成されている。
【００２４】
取付部２４の上部には、幅方向に延びる２個の長孔２８が上下方向に所定間隔を隔てて形成されており、取付部２４の下端端縁には、扉支持部２６が略水平方向に延出されている。
【００２５】
なお、扉支持部２６の延出方向は、軸受部材２０Ａを縦桟１４ａに取り付けたときにおいて扉支持部２６が扉１６の下側回動軸１８を受けることができるよう、取付部２４の縦桟１４ａとの取り付け面に対して略直交する方向に延びており、長孔２８が延びる方向（すなわち、軸受部材２０Ａの幅方向）は、縦桟１４ａの幅方向と一致することになる。
【００２６】
扉支持部２６は、下側回転軸１８を受ける部分であり、取付部２４と同様、鉄，ステンレス或いはアルミ等のような金属または合成樹脂を材料とする略矩形状の厚肉板材により構成されている。
【００２７】
扉支持部２６は、その幅方向一方端部が取付部２４の幅方向一方端部端縁から突出して形成されており、この突出部分２６ａに下側回転軸１８を受ける回動軸受３０としての丸孔が穿設されている。
【００２８】
ここで、丸孔３０を穿設する位置は、扉１６の下側回動軸１８の配置位置に合わせて適宜定められる。また、扉支持部２６の突出部分２６ａの突出幅ｘ（図２参照）は、扉１６を回動させたときに扉１６が取付部２４と干渉することがないよう適宜設定される（図５参照）。
【００２９】
なお、本実施例では、取付部２４と扉支持部２６とが１枚の金属板材によって一体的に形成されており（すなわち、所定形状に切り出された１枚の金属板材を略Ｌ字状に曲折形成することにより、取付部２４と扉支持部２６とからなる軸受部材２０Ａが形成されている。）、取付部２４と扉支持部２６との接合部分（入隅部分）には、軸受部材２０Ａの基材強度を確保するための補強部３２が形成されている。
【００３０】
補強部３２を形成する方法としては、隅肉溶接のような溶接による手法が考えられるが、本実施例では、取付部２４と扉支持部２６との突合せ部分（出隅部分）に角材を打ちつけることにより上記入隅部分に補強部３２としての角部を形成する方法が採用されている。
【００３１】
軸受構造１０を構成する際には、図３に示すように、まず、入口枠１４の縦桟１４ａに軸受部材２０Ａの取付部２４をあてがい、長孔２８に挿入したビス３４の先端を縦桟１４ａにねじ込み、軸受部材２０Ａを縦桟１４ａに仮固定する。このとき、図４に示すように、扉支持部２６と床面との間に若干の隙間ｙを設けるようにしておけば、回動軸受としての丸孔３０に下側回動軸１８を確実に嵌め込むことができ、丸孔３０から下側回動軸１８が脱落するのを防止できる点で好ましい。
【００３２】
軸受部材２０Ａの仮固定が完了すると、次に、上桟１４ｂに扉１６を取り付け、扉１６の下端に設けられている下側回動軸１８を扉支持部２６の丸孔３０に嵌め込む。
【００３３】
そして、最後に軸受部材２０Ａを長孔２８の長手方向に移動させることにより軸受部材２０Ａの位置調整（扉１６の前後方向に対する位置調整）を行い、ビス３４をしっかりと締め付けることにより軸受構造１０が完成する。
【００３４】
本実施例によれば、軸受部材２０Ａの取り付け対象が床面ではなく入口枠１４の縦桟１４ａであることから、従来のような施工時の面倒な作業は不要であるし、また、入口枠１４の種類によって軸受部材２０Ａの形状を変更する必要はない。
【００３５】
つまり、１種類の軸受部材２０Ａを、床面の材質や入口枠の種類等に関係なく統一的に使用することが可能となる。
【００３６】
さらに、軸受部材２０Ａのうち、扉支持部２６の突出部分２６ａだけが扉１６の下方に現れることになるので、その全体が扉の下方に現れる従来技術に比べて見栄えの良い軸受構造１０を提供できる。なお、縦桟１４ａに鍔２２が設けられている場合には、この鍔２２が軸受部材２０Ａを構成している取付部２４の『目隠し』として機能するので、より見栄えのよい軸受構造１０を提供できる。
【００３７】
なお、上述実施例では、取付部２４と扉支持部２６とが１つの金属板により一体的に形成されていたが、両部材２４，２６を別部材として形成した後、溶接などの接続手段により両部材を接合するようにしてもよい。そしてこの場合、扉支持部２６は、必ずしも取付部２４の下端端縁から略水平方向に延設されている必要はなく、取付部２４の中段部分や上端部端縁に取り付けるようにしてもよい。勿論、いずれの場合であっても、前述同様の作用効果を得ることができる。
【００３８】
次に、図６〜図７に示す第２実施例の軸受部材２０Ｂ（２０）について説明する。第２実施例の軸受部材２０Ｂは、取付部４２に対して扉支持部４４を位置調整可能に取り付けるよう構成した例である。
【００３９】
取付部４２は、その構成が前述実施例の取付部２４と同様であるため、その説明については前述実施例の記載を援用する。
【００４０】
扉支持部４４は、固定側扉支持部４６と可動側扉支持部４８とで構成されており、固定側扉支持部４６の一端が取付部４２の下端端縁に取り付けられている。
【００４１】
固定側扉支持部４６は、鉄，ステンレス或いはアルミ等のような金属または合成樹脂を材料とする矩形の厚肉板材により構成されており、その幅方向両端には、後述する可動側支持部４８を位置調整する際のガイドとなる切り欠き５０が形成されている。そして、固定側扉支持部４６における切り欠き５０で挟まれた箇所には、４つのネジ孔５２が矩形状に並んで穿設されている。
【００４２】
可動側扉支持部４８は、上述同様、鉄，ステンレス或いはアルミ等のような金属または合成樹脂を材料とする矩形状の厚肉板材により構成されており、その幅方向の長さは、固定側扉支持部４６の幅方向の長さよりも長く設定されている。
【００４３】
可動側扉支持部４８の後端部（幅方向他方端部）端縁には、ガイド用突辺５４が形成されている。
【００４４】
ガイド用突辺５４は、可動側扉支持部４８を固定側扉支持部４６に取り付けたときに切り欠き５０に嵌り込み、可動側扉支持部４８をスライドさせる際のガイドとして機能する部分であり、その幅は切り欠き５０の幅よりも短めに設定されている。なお、本実施例では、所定形状に切り出された１枚の金属板を略Ｌ字状に曲折形成することによって可動側扉支持部４８とガイド用突辺５４とが構成されている。
【００４５】
可動側扉支持部４８の後端部（幅方向他方端部）には、その幅方向に対して略直交する方向（この方向が固定側扉支持部４６の延びる方向、すなわち扉１６を閉じた状態の左右方向と一致する）に延びる２個の長孔５６がネジ孔５２と対応する位置に穿設されており、可動側扉支持部４８の前端部（幅方向一方端部）には、回動軸受としての丸孔３０が穿設されている。また、長孔５６と丸孔３０との間には、上方に突出する２個の凸部５８が形成されている。
【００４６】
軸受部材２０Ｂを構成する際には、固定側扉支持部４６の上面に可動側扉支持部４８を載置し、ガイド用突辺５４を切り欠き５０に沿わせる。そして長孔５６に挿通した固定ネジ６０の先端をネジ孔５２に螺合することにより固定側扉支持部４６と可動側扉支持部４８とを固定する。なお、固定側扉支持部４６に可動側扉支持部４８を取り付けたときには、可動側扉支持部４８の幅方向一方端部が固定側扉支持部４６の幅方向一方端部よりも突出しており、この突出部分４４ａに回動軸受３０が形成されることになる。
【００４７】
なお、軸受部材２０Ｂを用いて軸受構造１０を構成する方法については、上述実施例と同様であるので、その説明については前述実施例の記載を援用する。
【００４８】
本実施例では、扉支持部４４を構成している可動側扉支持部４８が固定側扉支持部４６にその延びる方向に位置調整可能に取り付けられているので、回動軸受としての丸孔３０の位置調整を扉１６の前後方向だけでなく、扉１６の左右方向に対しても行うことができる。つまり、回動軸受３０の位置調整を簡単に行なうことができるので、従来のような位置決め用の型紙が不要となる。
【００４９】
なお、上述実施例の全てに言えることであるが、図８に示すように、扉１６の吊元部分の下面側に形成されている下側回動軸１８が突出しておらず凹設状態にて形成されている場合には、回動軸受３０を棒状に構成してもよい（すなわち、回動軸受３０の構成は、下側回動軸１８の態様に応じて適宜変更が可能である。）。
【図面の簡単な説明】
【００５０】
【図１】扉の軸受構造を示す図である。
【図２】本願発明に係る支持金具を示す斜視図である。
【図３】支持金具の取付方法を説明する図である。
【図４】支持金具を入口枠に取り付けた状態を示す図である。
【図５】扉の軸受構造を示す平面図である。
【図６】他の実施例の支持金具を示す斜視図である。
【図７】図６実施例における分解斜視図である。
【図８】さらに他の実施例の支持金具を示す斜視図である。
【符号の説明】
【００５１】
１０…扉の軸受構造
１２…収納空間
１４…入口枠
１６…扉
１８…下側回動軸
２０…軸受部材
２４…取付部
２６…扉支持部
【図１】
2008002103.tif 000003
【図２】
2008002103.tif 000004
【図３】
2008002103.tif 000005
【図４】
2008002103.tif 000006
【図５】
2008002103.tif 000007
【図６】
2008002103.tif 000008
【図７】
2008002103.tif 000009
【図８】
2008002103.tif 000010
【手続補正書】
【提出日】平成19年8月28日(2007.8.28)
【手続補正１】
【補正対象書類名】図面
【補正対象項目名】図７
【補正方法】変更
【補正の内容】
【図７】
2008002103.tif 000011